(57)【要約】【課題】部品点数を削減しながらも、外的要因によるセンサー性能の低下や損傷等の発生を防ぎ、取付け時の位置精度を高め、クリアランスの減少からセンサー性能を向上ししかも小型化，軽量化を図る。【解決手段】磁石片２ａを固定する止め縁１１５をロアレール１ｂの長手方向に亘る前側領域または後側領域の底部内面に設け、磁石片２ａを止め縁１１５で位置決めさせてロアレール１ｂの底部内面に取り付け、磁場と反応乃至は不反応をシート位置信号として発する磁気検出センサー２ｂをアッパーレール１ａの長手方向における所定位置の上部内面に取り付け、磁石片２ａ，磁気検出センサー２ｂをポジションセンサー２としてスライドレール１の内側に備え付ける。【選択図】  図１
2004210162.tif 000002
【特許請求の範囲】
【請求項１】
シートクッションの下部側に取り付けられるアッパーレールと、車体フロアに取り付けられるロアレールとをスライドレールとして備え、シートを車内の前後方向にスライドレールで位置移動可能に設置し、そのシートの位置を検出し、当該シートの位置信号を発するポジションセンサーを備える自動車用スライドシートにおいて、
磁石片を固定する止め縁をロアレールの長手方向に亘る前側領域または後側領域の底部内面に設け、磁石片を該止め縁で位置決めさせてロアレールの底部内面に取り付け、磁場と反応乃至は不反応をシートの位置信号として発する磁気検出センサーをアッパーレールの長手方向における所定位置の上部内面に取り付け、その磁石片，磁気検出センサーをポジションセンサーとしてスライドレールの内側に備え付けたことを特徴とするポジションセンサー付き自動車用スライドシート。
【請求項２】
ロアレールの底部面から内方に突き出る凸状の枠縁を設け、磁石片を該枠縁で位置決めさせてロアレールの底部内面に取り付けたことを特徴とする請求項１に記載のポジションセンサー付き自動車用スライドシート。
【請求項３】
ロアレールの底部内面を凹状に窪ませて止め枠を設け、磁石片を止め枠で位置決めさせてロアレールの底部内面に取り付けたことを特徴とする請求項１に記載のポジションセンサー付き自動車用スライドシート。
【請求項４】
ロアレールの長手方向で相対する一対の切曲げ片を底部内面より内方に立ち上げて設け、磁石片を該切曲げ片で位置決めさせてロアレールの底部内面に取り付けたことを特徴とする請求項１〜３のいずれかに記載のポジションセンサー付き自動車用スライドシート。
【発明の詳細な説明】
【０００１】
【発明の属する技術分野】
本発明は、車内の前後方向にスライドレールで位置移動可能に設置する自動車用スライドシートに係り、シートの位置を検出し、当該シートの位置信号を発するポジションセンサーを備える自動車用スライドシートに関するものである。
【０００２】
【従来の技術】
例えば、エアバッグモジュールを乗員拘束装置としてステアリングホイールに装備する場合、図５で示すようにスライドシートＳの位置がステアリングホイールＨに対して前方にあるときはエアバッグＥの展開開始時期を早くし、一方、後方にあるときはエアバッグＥの展開開始時期を遅らせる如くエアバッグモジュールの作動をコントロールすることが図られている。
【０００３】
従来、そのエアバッグモジュールをコントロールする必要から、エアバッグモジュールに対するスライドシートＳの相対位置を検出するポジションセンサーＰをスライドレールＲに装備することが提案されている。
【０００４】
そのポジションセンサーＰとしては、図６並びに図７で示すように磁石片や電磁石等の磁気アクチュエータ１０ａと、磁場と反応するリミットスイッチやホール素子等の磁気検出センサー１０ｂを相対させてホルダーケース１０ｃの内部に組み付けたセンサーユニット１０と、磁気アクチュエータ１０ｂから発する磁場が磁気検出センサー１０ｂに作用するのを遮る磁気遮断板１１とでなるものが備え付けられている。
【０００５】
そのセンサーユニット１０は、ロアレール１２の長手方向における所定位置の側部に突出するブラケットプレート１３で取り付けられている。一方、磁気遮断板１１はアッパーレール１４の所定位置より長手方向に亘る前側領域の側部に張り出させて取り付けられている（参考文献１）。
【０００６】
それとは逆に、磁気センサーをアッパーレールの側部に突出させて取り付け、磁気遮断板をロアレールの長手方向に亘る所定領域の側部に張り出させて取り付けるものも提案されている（特許文献２）。
【０００７】
そのポジションセンサーは、シートの位置移動に伴って、磁気遮断板１１が磁気アクチュエータ１０ａと磁気検出センサー１０ｂとの相対間隔に位置するか否かにより、磁気検出センサー１０ｂがエアバッグモジュールに対するスライドシートＳの相対位置を検出すると共に、エアバッグモジュールの作動を制御するコントロール信号を発するよう回路設計されている。
【０００８】
【特許文献１】
米国特許第６，０５３，５２９号明細書
【特許文献２】
米国特許第５，９６７，５４９号明細書
【０００９】
そのポジションセンサーは、いずれも、スライドレールの側部で外側に取り付けられている。このため、シートクッションと車体フロアとの間に入れ込まれる金属製品等の物品による影響を受け易く、誤作動を生ずる虞れがある。また、傘や長尺ものの入れ込みによる変形や損傷等の不具合を生ずる虞れもある。
【００１０】
その不具合を解消するには、ポジションセンサーをガードするカバーやワイヤ枠等をスライドレールの側部に取り付ければよい。然し、これでは部品点数が多くなり、また、スライドレールの周辺空間を制約することにもなるから好ましくない。
【００１１】
【発明が解決しようとする課題】
本発明は、部品点数を削減しながらも、外的要因によるセンサー性能の低下や損傷等の発生を防ぎ、取付け時の位置精度を高め、クリアランスの減少からセンサー性能を向上ししかも小型化，軽量化を図れるポジションセンサー付き自動車用スライドシートを提供することを目的とする。
【００１２】
【課題を解決するための手段】
本発明の請求項１に係るポジションセンサー付き自動車用スライドシートにおいては、磁石片を固定する止め縁をロアレールの長手方向に亘る前側領域または後側領域の底部内面に設け、磁石片を該止め縁で位置決めさせてロアレールの底部内面に取り付け、磁場と反応乃至は不反応をシートの位置信号として発する磁気検出センサーをアッパーレールの長手方向における所定位置の上部内面に取り付け、その磁石片，磁気検出センサーをポジションセンサーとしてスライドレールの内側に備え付けることにより構成されている。
【００１３】
本発明の請求項２に係るポジションセンサー付き自動車用スライドシートにおいては、ロアレールの底部面から内方に突き出る凸状の枠縁を設け、磁石片を該枠縁で位置決めさせてロアレールの底部内面に取り付けることにより構成されている。
【００１４】
本発明の請求項３に係るポジションセンサー付き自動車用スライドシートにおいては、ロアレールの底部内面を凹状に窪ませて止め枠を設け、磁石片を止め枠で位置決めさせてロアレールの底部内面に取り付けることにより構成されている。
【００１５】
本発明の請求項４に係るポジションセンサー付き自動車用スライドシートにおいては、ロアレールの長手方向で相対する一対の切曲げ片を底部内面より内方に立ち上げて設け、磁石片を該切曲げ片で位置決めさせてロアレールの底部内面に取り付けることにより構成されている。
【００１６】
【発明の実施の形態】
以下、図１〜図４を参照して説明すると、図示実施の形態は、車内の前後方向にスライドレール１で位置移動可能に設置されるスライドシートでなり、そのスライドシートの位置を検出し、図５で示すような乗員拘束装置に対するシートの相対位置に基づいて乗員拘束装置の作動を制御するコントロール信号を発するポジションセンサー２をスライドレール１の内部に備えて構成されている。
【００１７】
スライドレール１は、シートクッションの下部側に取り付けられるアッパーレール１ａと、車体フロア側に取り付けられるロアレール１ｂとから組み立てられている。ロアレール１ｂは、シートの移動距離に亘る車内の前後方向に設置される。アッパーレール１ａは、ローラ（図示せず）を長手方向前後の下部側に備えてロアレール１ｂで前後方向に移動可能に支持される。
【００１８】
アッパーレール１ａは、上部面１００と、左右の両側面１０１，１０２とから断面略下向きコの字状を呈し、各側面１０１，１０２の下端側からＬ字状に立ち上がる外曲げフランジ１０３，１０４を備えて折曲げ形成されている。このアッパーレール１ａには、後述する磁気検出センサーを取り付ける受け穴１０５が上部面１００に設けられている。
【００１９】
ロアレール１ｂは、底部面１１０と、左右の両側面１１１，１１２とからアッパーレール１ａよりも相対的に大きい断面略上向きコの字状を呈し、アッパーレール１ａの外曲げフランジ１０３，１０４を内側に受け入れる下向きＬ字状の内曲げフランジ１１３，１１４を各側面１１１，１１２の上端側から折り曲げて形成されている。
【００２０】
ポジションセンサー２は、略四辺形の磁石片２ａと、磁場と反応乃至は不反応をコントロール信号として発する磁気検出センサー２ｂとを備えて構成されている。磁気検出センサー２ｂは、張出し鍔２０を介して本体部２１を下部側に、信号ケーブルと接続するコネクタ部２２を上部側に備えて構成されている。この磁気検出センサー２ｂとしては、磁界の強さをホール効果による電気信号で取り出すホール素子乃至はホールＩＣを本体部２１に内蔵したものを備えるとよい。
【００２１】
磁石片２ａは、図２で示すように止め縁１１５をロアレール１ｂの底部内面に設けることにより止め縁１１５で位置決めさせて接着固定されている。その止め縁１１５は、ロアレール１ｂの底部面から内方に突き出る枠縁として形成されている。この磁石片２ａは、枠縁１１５に嵌込み固定することからロアレール１ｂの略中腹位置より長手方向に亘る後側領域で底部内面に配置するよう設定されている。
【００２２】
磁気検出センサー２ｂは、本体部２１をアッパーレール１ａの受け穴１０５に嵌め合わせて内部に位置し、受け穴１０５を外形形状の大きい張出し鍔２０で覆ってアッパーレール１ａの上部面１００に外側から取付け固定される。この磁気検出センサー２ｂは、アッパーレール１ａの上部内面で長手方向における略中腹に配置するよう設定されている。
【００２３】
乗員拘束装置としては、ステアリングホイールの内部に装備されるエアバッグモジュールやインストルメントパネルの内部に装備されるエアバッグモジュールを挙げられる。その制御形態は、シートの位置が前方にあるときはエアバッグの展開開始時期を早くし、一方、後方にあるときはエアバッグの展開開始時期を遅らせる如くＣＰＵを備えて回路構成される。
【００２４】
このように構成するポジションセンサー付きのスライドシートでは、シート全体をスライドレール１でフロントモストとリアモストとに亘る領域を移動する間で、磁気検出センサー２ｂが磁石片２ａから発生する磁場に反応する領域と、磁石片２ａが備えられていないことから、磁気検出センサー２ｂが磁場と反応しない領域とに区分けられる。
【００２５】
その磁気検出センサー２ｂによる磁場の反応乃至は不反応のいずれかをコントロール信号としてＣＰＵに送信することから、反応領域ではシートの位置が前方にあるとしてエアバッグの展開開始時期を早くし、一方、不反応領域ではシートが後方にあるとしてエアバッグの展開開始時期を遅らせる如くエアバッグモジュールのエアバッグを作動制御できる。
【００２６】
そのポジションセンサー２では、磁石片２ａをロアレール１ｂの底部内面に設けた枠縁１１５で位置決めさせて固定し、磁気検出センサー２ｂをアッパーレール１ａの上部内面に取付け固定するため、取付け時の位置精度を高められしかも相対間隔の狭い内部でクリアランスを小さく保てるからセンサー性能も向上できる。また、磁気検出センサー２ｂをアッパーレール１ａの内部で下向きに取り付けることから、塵埃等が付着することによるセンサー性能の低下も防げる。
【００２７】
それに加えて、磁石片２ａはロアレール１ａの底部内面に設けた止め縁１１５で取り囲まれていると共に、磁石片２ａを含めて磁気検出センサー２ｂがスライドレール１の内部に備えられているため、シートクッションと車体フロアとの間に入れ込まれる金属製品等の外的要因による影響を受け難く、傘や長尺ものの入れ込みによる変形や損傷等を生ずるのも防げて正常な作動状態を維持できる。また、ポジションセンサーのガードカバーやワイヤ枠等が不要であるため、部品点数を削減できて小型化並びに軽量化を図れる。
【００２８】
磁石片２ａは、図３で示すようにロアレール１ｂの底部内面を凹状に窪ませた止め縁１１５’を設けて枠縁１１５’の内部に嵌め込むことによりロアレール１ｂの底部内面に取り付るようにできる。また、図４で示すようにロアレール１ｂの長手方向で相対する一対の切曲げ片１１５ａ，１１５ｂを底部内面より斜め内方に立ち上げて切曲げ片１１５ａ，１１５ｂで挟み込むことによりロアレールの底部内面に取り付けるようにもできる。これにても、磁石片２ａを位置決めできると共に、ロアレール１ｂの前後方向から異物が万が一入っても、異物との接触による磁石片２ａの損傷を防げる。
【００２９】
上述した実施の形態では、乗員拘束装置としてステアリングホイールの内部に装備されるエアバッグモジュールやインストルメントパネルの内部に装備されるエアバッグモジュールを挙げたが、ドアやサイドボディパネルの内部に装備されるエアバッグモジュールとシートとの位置関係を決定するような場合にも適用できる。また、シートクッションを立ち姿勢のシートバックに跳ね上げて後部側シートを前部側シートの背後に位置移動するチップアップシート等のフロントもストやリアモストを検出する位置センサーとしても適用できる。
【００３０】
そのポジションセンサーによる制御形態としては、フロントモスト側を磁場不反応領域に、リアモスト側を磁場反応領域に設定したが、これを逆に設定するようにできる。
【００３１】
【発明の効果】
以上の如く、本発明に係るポジションセンサー付き自動車用スライドシートに依れば、磁石片を固定する止め縁をロアレールの長手方向に亘る前側領域または後側領域の底部内面に設け、磁石片を該止め縁で位置決めさせてロアレールの底部内面に取り付け、磁場と反応乃至は不反応をシートの位置信号として発する磁気検出センサーをアッパーレールの長手方向における所定位置の上部内面に取り付け、その磁石片，磁気検出センサーをポジションセンサーとしてスライドレールの内側に備え付けるため、シートクッションと車体フロアとの間に入れ込まれる金属製品等の外的要因による影響を受け難く、傘や長尺ものの入れ込みによる変形や損傷等を生ずるのも防げて正常な作動状態を維持できる。また、ポジションセンサーのガードカバーやワイヤ枠等が不要となるため、部品点数を削減できて小型化並びに軽量化を図れる。
【００３２】
それに加えて、磁気検出センサーをアッパーレールの長手方向における所定位置の上部内面に取り付け、磁石片をロアレールの長手方向に亘る前側領域または後側領域の底部内面に位置決めさせて固定するため、互いの位置精度を高められると共に、クリアランスを小さく保てることからセンサー性能を向上できる。
【図面の簡単な説明】
【図１】本発明に係る自動車用スライドシートのスライドレール並びにポジションセンサーを主に示す説明図である。
【図２】図１の磁石片をロアレールの底部内面に設けた凸状の枠縁で位置決めさせて取り付ける場合を示す説明図である。
【図３】図１の磁石片をロアレールの底部内面に設けた凹状の止め枠で位置決めさせて取り付ける場合を示す説明図である。
【図４】図１の磁石片をロアレールの底部内面に設けた切起し爪で位置決めさせて取り付ける場合を示す説明図である。
【図５】一般例に係るポジションセンサー付き自動車用スライドシートを示す説明図である。
【図６】従来例に係る自動車用スライドシートのスライドレール並びにポジションセンサーを主に示す説明図である。
【図７】図６のスライドレール並びにポジションセンサーを示す断面図である。
【符号の説明】
１                    スライドレール
１ａ                  アッパーレール
１ｂ                  ロアレール
２                    ポジションセンサー
２ａ                  磁石片
２ｂ                  磁気検出センサー
１１５                凸状の枠縁
１１５’              凹状の止め枠
１１５ａ，１１５ｂ    切起し爪
【図１】
2004210162.tif 000003
【図２】
2004210162.tif 000004
【図３】
2004210162.tif 000005
【図４】
2004210162.tif 000006
【図５】
2004210162.tif 000007
【図６】
2004210162.tif 000008
【図７】
2004210162.tif 000009